(57)【要約】【課題】フレーム長を誤って検知する率を低減可能な無線装置を提供する。【解決手段】端末装置１は、アクセスポイント２を起動させるためのウェイクアップ信号を表わすフレーム長を有するＮ１個のデータフレームと、Ｎ１個のデータフレームの後ろに追加されるＮ２個のダミーフレームとからなる無線フレームを生成する。そして、端末装置１は、Ｎ１個のデータフレームとＮ２個のダミーフレームとの（Ｎ１＋Ｎ２）個のフレームを一定間隔で連続的に送信する。Ｎ１個のデータフレームの少なくとも１つのデータフレームは、ウェイクアップ信号を示す異なる２つの無線フレーム間において、フレーム長が異なる。【選択図】図１
2014192534.tif 000002
【特許請求の範囲】
【請求項１】
通信先を起動させるためのウェイクアップ信号を表わすフレーム長を有するＮ１（Ｎ１は、２以上の整数）個のデータフレームと、前記Ｎ１個のデータフレームの後ろに追加されるＮ２（Ｎ２は、１以上の整数）個のダミーフレームとからなる無線フレームを生成する生成手段と、
前記Ｎ１個のデータフレームと前記Ｎ２個のダミーフレームとの（Ｎ１＋Ｎ２）個のフレームを一定間隔で連続的に送信する送信手段とを備え、
前記Ｎ１個のデータフレームの少なくとも１つのデータフレームは、前記ウェイクアップ信号を示す異なる２つの無線フレーム間において、フレーム長が異なる、無線装置。
【請求項２】
前記Ｎ１個のデータフレームの各々は、長さが一定に固定されている固定長領域と、長さが可変である可変長領域とを含み、
前記可変長領域の長さは、前記ウェイクアップ信号のビット数をＮ１個のグループに分割したときの１つのグループのビット値と、２つのデータフレーム間のフレーム長の差分と、前記無線フレームの受信信号をサンプリングするときのサンプリング周期とによって決定され、
前記生成手段は、前記差分が、前記Ｎ１個のデータフレームにおいて１番目のデータフレームからＮ１番目のデータフレームに向かうに従って大きくなるように前記Ｎ１個のデータフレームを生成する、請求項１に記載の無線装置。
【請求項３】
前記生成手段は、更に、前記１つのグループにおけるビット数が、前記Ｎ１個のデータフレームにおいて１番目のデータフレームからＮ１番目のデータフレームに向かうに従って減少するように前記Ｎ１個のデータフレームを生成する、請求項２に記載の無線装置。
【請求項４】
前記差分は、前記一定間隔以下である、請求項１から請求項３のいずれか１項に記載の無線装置。
【請求項５】
起動状態において他の無線装置と無線通信を行う通信手段と、
請求項１から請求項４のいずれか１項に記載の無線装置から前記無線フレームを受信する受信手段と、
前記無線フレームの受信電波を包絡線検波して包絡線を検出する検出手段と、
前記包絡線をアナログ信号からディジタル信号に変換してビット列を生成する変換手段と、
前記Ｎ１個のデータフレームと、前記Ｎ２個のダミーフレームと、前記（Ｎ１＋Ｎ２）個のフレームの隣接するフレーム間に存在する（Ｎ１＋Ｎ２−１）個の一定間隔とをビット値で表わした等価ウェイクアップ信号が前記ビット列にマッチングするとき、前記通信手段を起動するための起動信号を生成する起動手段とを備える無線装置。
【請求項６】
前記起動手段は、前記等価ウェイクアップ信号と前記ビット列との間の異なるビット数であるエラービット数が閾値以下であるとき、前記起動信号を生成する、請求項５に記載の無線装置。
【請求項７】
請求項１から請求項４のいずれか１項に記載の無線装置からなる送信機と、
請求項５または請求項６に記載の無線装置からなる受信機とを備える無線通信システム。
【発明の詳細な説明】
【技術分野】
【０００１】
この発明は、無線装置およびそれを備える無線通信システムに関するものである。
【背景技術】
【０００２】
無線ＬＡＮ（Ｌｏｃａｌ  Ａｒｅａ  Ｎｅｔｗｏｒｋ）の普及に伴って、多くのアクセスポイントが設置されている。
【０００３】
これらのアクセスポイントは、通常、電源のオンが継続する状態で使用される。その結果、“電源のオンが継続する状態”になっているアクセスポイントが過半数の時間で使用されていないため、電力が無駄に消費される。
【０００４】
この問題を解決するために、通信が必要になっているときだけ、アクセスポイントを起動させる方法が提案されている（特許文献１，非特許文献１）。
【０００５】
特許文献１では、無線ＬＡＮフレームのフレーム長からウェイアクップ信号を作成し、その作成したウェイアクップ信号を送信する。
【０００６】
また、非特許文献１では、ウェイアクップ信号を構成する無線ＬＡＮフレームの送信中、他の無線信号が割り込まないように無線ＬＡＮフレームをバースト的に送信し、受信側で受信信号の波形を等価ＩＤとしてＩＤマッチングを行う。
【先行技術文献】
【特許文献】
【０００７】
【特許文献１】特開２０１２−１７５５４４号公報
【非特許文献】
【０００８】
【非特許文献１】Suhua Tang, Hiroyuki Yomo, Yoshihisa Kondo, and Sadao Obana, “Exploiting burst transmission and partial correlation for reliable wake-up signaling in Radio-On-Demand WLANs,” in Proc. IEEE ICC 2012, Ottawa, Canada, Jun. 2012, pp6476-6481.
【発明の概要】
【発明が解決しようとする課題】
【０００９】
しかし、特許文献１では、ウェイクアップ信号の送信中、干渉信号が割り込む可能性があるため、受信側では、フレーム長を誤って検知する率が相対的に高いという問題がある。
【００１０】
そこで、この発明は、かかる問題を解決するためになされたものであり、その目的は、フレーム長を誤って検知する率を低減可能な無線装置を提供することである。
【００１１】
また、この発明の別の目的は、フレーム長を誤って検知する率を低減可能な無線装置を備える無線通信システムを提供することである。
【課題を解決するための手段】
【００１２】
この発明の実施の形態によれば、無線装置は、生成手段と、送信手段とを備える。生成手段は、通信先を起動させるためのウェイクアップ信号を表わすフレーム長を有するＮ１個のデータフレームと、Ｎ１個のデータフレームの後ろに追加されるＮ２個のダミーフレームとからなる無線フレームを生成する。送信手段は、Ｎ１個のデータフレームとＮ２個のダミーフレームとの（Ｎ１＋Ｎ２）個のフレームを一定間隔で連続的に送信する。そして、Ｎ１個のデータフレームの少なくとも１つのデータフレームは、ウェイクアップ信号を示す異なる２つの無線フレーム間において、フレーム長が異なる。
【００１３】
また、この発明の実施の形態によれば、無線装置は、通信手段と、受信手段と、検出手段と、変換手段と、起動手段とを備える。通信手段は、起動状態において他の無線装置と無線通信を行う。受信手段は、請求項１から請求項４のいずれか１項に記載の無線装置から無線フレームを受信する。検出手段は、無線フレームの受信電波を包絡線検波して包絡線を検出する。変換手段は、包絡線をアナログ信号からディジタル信号に変換してビット列を生成する。起動手段は、Ｎ１個のデータフレームと、Ｎ２個のダミーフレームと、（Ｎ１＋Ｎ２）個のフレームの隣接するフレーム間に存在する（Ｎ１＋Ｎ２−１）個の一定間隔とをビット値で表わした等価ウェイクアップ信号がビット列にマッチングするとき、通信手段を起動するための起動信号を生成する。
更に、この発明の実施の形態によれば、無線通信システムは、請求項１から請求項５のいずれか１項に記載の無線装置からなる送信機と、請求項６または請求項７に記載の無線装置からなる受信機とを備える。
【発明の効果】
【００１４】
この発明の実施の形態によれば、無線装置は、ウェイクアップ信号を示す異なる２つの無線フレーム間において、Ｎ１個のデータフレームの少なくとも１つのデータフレームのフレーム長が異なるように、Ｎ１個のデータフレームを生成し、Ｎ１個のデータフレームとＮ２個のダミーフレームとを連続的に送信する。その結果、２つの等価ウェイクアップ信号間のハミング距離がＮ２個のダミーフレームを設けない場合に比べ大きくなり、受信側における無線フレームの受信電波の波形を他の無線フレームの受信電波の波形から識別できる。
【００１５】
従って、ウェイクアップ信号を誤って検知する率を低減できる。
【図面の簡単な説明】
【００１６】
【図１】この発明の実施の形態による無線通信システムの構成を示す概略図である。
【図２】図１に示す端末装置の構成を示す概略図である。
【図３】図１に示すアクセスポイントの構成を示す概略図である。
【図４】図３に示すウェイクアップ信号受信機の構成を示す概略図である。
【図５】等価ウェイクアップ信号の比較を示す図である。
【図６】２つの等価ウェイクアップ信号間のハミング距離を示す図である。
【図７】等価ウェイクアップ信号の別の比較を示す図である。
【図８】等価ウェイクアップ信号の更に別の比較を示す図である。
【図９】この発明の実施の形態による無線ＬＡＮフレームの概念図である。
【図１０】２つの等価ウェイクアップ信号間におけるハミング距離の計算方法を示す概念図である。
【図１１】図１１は、データフレームおよびダミーフレームの概念図である。
【図１２】ウェイクアップ信号を表わすフレーム長を有する無線ＬＡＮフレームの例を示す概念図である。
【図１３】図３に示すウェイクアップ信号受信機における信号の概念図である。
【図１４】端末装置における無線ＬＡＮフレームＷＦＲの生成方法を示すフローチャートである。
【図１５】図１に示す無線通信システムの動作を示すフローチャートである。
【発明を実施するための形態】
【００１７】
本発明の実施の形態について図面を参照しながら詳細に説明する。なお、図中同一または相当部分には同一符号を付してその説明は繰返さない。
【００１８】
図１は、この発明の実施の形態による無線通信システムの構成を示す概略図である。図１を参照して、この発明の実施の形態による無線通信システム１０は、端末装置１と、アクセスポイント２と、ネットワーク３とを備える。
【００１９】
端末装置１は、アクセスポイント２がスリープ状態であるとき、アクセスポイント２をスリープ状態から起動状態へ移行させるためのウェイクアップ信号を後述する方法によって生成し、その生成したウェイクアップ信号を送信する。
【００２０】
また、端末装置１は、アクセスポイント２が起動状態であるとき、アクセスポイント２との間で無線リンクを確立し、アクセスポイント２およびネットワーク３を介して他の端末装置またはサーバと通信を行う。
【００２１】
アクセスポイント２は、有線ケーブル４を介してネットワーク３に接続される。アクセスポイント２は、一定期間、端末装置１と無線通信を行わないとき、起動状態からスリープ状態へ移行する。
【００２２】
また、アクセスポイント２は、端末装置１からウェイクアップ信号を受信し、その受信したウェイクアップ信号が自己のＩＤに一致するとき、スリープ状態から起動状態へ移行する。そして、アクセスポイント２は、端末装置１と無線リンクを確立し、端末装置１とネットワーク３側の他の端末装置またはサーバとの通信を中継する。
【００２３】
図２は、図１に示す端末装置１の構成を示す概略図である。図２を参照して、端末装置１は、アンテナ１１と、無線ＬＡＮカード１２と、ＣＰＵ（Ｃｅｎｔｒａｌ  Ｐｒｏｃｅｓｓｉｎｇ  Ｕｎｉｔ）１３と、電源１４とを含む。
【００２４】
無線ＬＡＮカード１２は、電源１４から供給される電力によって駆動される。無線ＬＡＮカード１２は、アクセスポイント２がスリープ状態であるとき、ウェイクアップ信号を表わす無線ＬＡＮフレームをＣＰＵ１３から受ける。そして、無線ＬＡＮカード１２は、その受けた無線ＬＡＮフレームを構成する複数のフレームを２．４ＧＨｚの周波数でアンテナ１１を介して連続的に送信する。
【００２５】
また、無線ＬＡＮカード１２は、アクセスポイント２が起動状態であるとき、アンテナ１１を介してアクセスポイント２からビーコンフレームを受信し、その受信したビーコンフレームをＣＰＵ１３へ出力する。
【００２６】
無線ＬＡＮカード１２は、端末装置１がアクセスポイント２と無線通信を行うとき、アクセスポイント２との間で無線リンクを確立する。そして、無線ＬＡＮカード１２は、ＣＰＵ１３から無線ＬＡＮフレームを受け、その受けた無線ＬＡＮフレームをアンテナ１１を介してアクセスポイント２へ送信する。また、無線ＬＡＮカード１２は、アンテナ１１を介してアクセスポイント２から無線ＬＡＮフレームを受信し、その受信した無線ＬＡＮフレームをＣＰＵ１３へ出力する。
【００２７】
ＣＰＵ１３は、電源１４から供給される電力によって駆動される。ＣＰＵ１３は、ビーコンフレームを無線ＬＡＮカード１２から受け、その受けたビーコンフレームからアクセスポイント２のＩＤを検出する。そして、ＣＰＵ１３は、その検出したアクセスポイント２のＩＤを管理する。
【００２８】
ＣＰＵ１３は、アクセスポイント２からのビーコンフレームを定期的に受けないとき、アクセスポイント２がスリープ状態であると判定する。そして、ＣＰＵ１３は、端末装置１がアクセスポイント２を介してネットワーク３側の他の端末装置またはサーバと通信を行うとき、アクセスポイント２をスリープ状態から起動状態へ移行させるためのウェイクアップ信号を表わす無線ＬＡＮフレームを後述する方法によって生成し、その生成した無線ＬＡＮフレームを無線ＬＡＮカード１２へ出力する。
【００２９】
ＣＰＵ１３は、アクセスポイント２が起動状態であるとき、通信用の無線ＬＡＮフレームを生成し、その生成した無線ＬＡＮフレームを無線ＬＡＮカード１２へ出力する。また、ＣＰＵ１３は、アクセスポイント２から送信された無線ＬＡＮフレームを無線ＬＡＮカード１２から受ける。
【００３０】
電源１４は、無線ＬＡＮカード１２およびＣＰＵ１３へ電力を供給する。
【００３１】
図３は、図１に示すアクセスポイント２の構成を示す概略図である。図３を参照して、アクセスポイント２は、アンテナ２１と、ウェイクアップ信号受信機２２と、電源２３，２７と、無線ＬＡＮカード２４と、ＣＰＵ２５と、ネットワーク接続カード２６とを含む。
【００３２】
アンテナ２１は、ウェイクアップ信号受信機２２および無線ＬＡＮカード２４に接続される。ネットワーク接続カード２６は、有線ケーブル４に接続される。
【００３３】
ウェイクアップ信号受信機２２は、電源２３から供給される電力によって駆動される。この場合、ウェイクアップ信号受信機２２は、例えば、１００μＷの電力を供給される。
【００３４】
ウェイクアップ信号受信機２２は、アクセスポイント２のＩＤを予め保持している。ウェイクアップ信号受信機２２は、アクセスポイント２のＩＤに基づいてハッシュ関数を用いてウェイクアップ信号を算出し、その算出したウェイクアップ信号をＥｑｕｉｖａｌｅｎｔ  ＩＤ（以下、「等価ウェイクアップ信号」と言う。）に変調する。
【００３５】
ウェイクアップ信号受信機２２は、ウェイクアップ信号を表わす無線ＬＡＮフレームをアンテナ２１を介して受信し、その受信した無線ＬＡＮフレームを後述する方法によってビット列に復号する。
【００３６】
そうすると、ウェイクアップ信号受信機２２は、ビット列と等価ウェイクアップ信号との間の異なるビット数であるエラービット数を後述する方法によって算出する。そして、ウェイクアップ信号受信機２２は、その算出したエラービット数が閾値以下であるか否かを判定する。
【００３７】
エラービット数が閾値以下であるとき、ウェイクアップ信号受信機２２は、起動信号を生成し、その生成した起動信号を電源２７へ出力する。なお、閾値は、例えば、４個に設定される。
【００３８】
一方、エラービット数が閾値よりも大きいとき、ウェイクアップ信号受信機２２は、ビット列を破棄し、電源２７へ何も出力しない。
【００３９】
無線ＬＡＮカード２４は、電源２７から供給される電力によって駆動される。無線ＬＡＮカード２４は、電源２７がオフされると、スリープ状態へ移行する。無線ＬＡＮカード２４は、アクセスポイント２が起動状態であるとき、端末装置１との間で無線リンクを確立する。そして、無線ＬＡＮカード２４は、ＣＰＵ２５からビーコンフレームを受け、その受けたビーコンフレームをアンテナ２１を介して端末装置１へ送信する。
【００４０】
無線ＬＡＮカード２４は、通信用のデータをＣＰＵ２５から受けると、その受けた通信用のデータを含む無線ＬＡＮフレームを生成し、その生成した無線ＬＡＮフレームをアンテナ２１を介して端末装置１へ送信する。
【００４１】
無線ＬＡＮカード２４は、通信用の無線ＬＡＮフレームをアンテナ２１を介して受信し、その受信した無線ＬＡＮカードからデータを取り出し、その取り出したデータをＣＰＵ２５へ出力する。
【００４２】
ＣＰＵ２５は、電源２７から供給される電力によって駆動される。ＣＰＵ２５は、端末装置１とネットワーク３側の他の端末装置またはサーバとの間で、一定期間、通信が行われないとき、電源２７をオフする。これによって、ＣＰＵ２５は、スリープ状態へ移行する。
【００４３】
ＣＰＵ２５は、アクセスポイント２のＩＤを予め保持している。ＣＰＵ２５は、起動状態へ移行すると、アクセスポイント２のＩＤを含むビーコンフレームを生成し、その生成したビーコンフレームを無線ＬＡＮカード２４へ出力する。
【００４４】
ＣＰＵ２５は、無線ＬＡＮカード２４が端末装置１との間で無線リンクを確立すると、端末装置１を管理する。そして、ＣＰＵ２５は、ネットワーク接続カード２６から受けたデータを無線ＬＡＮカード２４へ出力し、無線ＬＡＮカード２４から受けたデータをネットワーク接続カード２６へ出力する。
【００４５】
ネットワーク接続カード２６は、電源２７から供給される電力によって駆動される。ネットワーク接続カード２６は、電源２７がオフされると、スリープ状態へ移行する。
【００４６】
ネットワーク接続カード２６は、有線ケーブル４を介してデータを受信すると、その受信したデータをＣＰＵ２５へ出力する。また、ネットワーク接続カード２６は、ＣＰＵ２５からデータを受けると、その受けたデータを有線ケーブル４を介して送信する。
【００４７】
電源２７は、ウェイクアップ信号受信機２２から起動信号を受けると、無線ＬＡＮカード２４、ＣＰＵ２５およびネットワーク接続カード２６へ電力を供給する。この場合、電源２７は、例えば、合計で７Ｗの電力を無線ＬＡＮカード２４、ＣＰＵ２５およびネットワーク接続カード２６へ供給する。
【００４８】
電源２７は、ＣＰＵ２５からの制御によって無線ＬＡＮカード２４、ＣＰＵ２５およびネットワーク接続カード２６への電力の供給を停止する。
【００４９】
なお、アクセスポイント２においては、無線ＬＡＮカード２４、ＣＰＵ２５およびネットワーク接続カード２６に電力が供給されている状態を起動状態と言い、無線ＬＡＮカード２４、ＣＰＵ２５およびネットワーク接続カード２６に電力が供給されていない状態をスリープ状態と言う。
【００５０】
図４は、図３に示すウェイクアップ信号受信機２２の構成を示す概略図である。図４を参照して、ウェイクアップ信号受信機２２は、ＢＰＦ（Ｂａｎｄ  Ｐａｓｓ  Ｆｉｌｔｅｒ）２２１と、包絡線検波回路２２２と、Ａ／Ｄ変換器２２３と、マッチング回路２２４とを含む。
【００５１】
ＢＰＦ２２１は、アンテナ２１を介して電波を受信し、その受信した受信電波のうち、無線ＬＡＮフレームの周波数を有する信号を包絡線検波回路２２２へ出力する。
【００５２】
包絡線検波回路２２２は、ＢＰＦ２２１から受けた信号を包絡線検波し、包絡線をＡ／Ｄ変換器２２３へ出力する。
【００５３】
Ａ／Ｄ変換器２２３は、包絡線検波回路２２２から受けた包絡線をサンプリング周期でサンプリングして包絡線をビット列に変換する。そして、Ａ／Ｄ変換器２２３は、ビット列をマッチング回路２２４へ出力する。
【００５４】
マッチング回路２２４は、アクセスポイント２のＩＤを予め保持している。そして、マッチング回路２２４は、アクセスポイント２のＩＤに基づいてハッシュ関数を用いてウェイクアップ信号を算出し、その算出したウェイクアップ信号を等価ウェイクアップ信号に変調する。そうすると、マッチング回路２２４は、Ａ／Ｄ変換器２２３から受けたビット列と等価ウェイクアップ信号との間のエラービット数を算出し、その算出したエラービット数が閾値以下であるとき、起動信号を生成し、その生成した起動信号を電源２７へ出力する。なお、マッチング回路２２４は、エラービット数が閾値よりも大きいとき、ビット列を破棄する。
【００５５】
この発明の実施の形態においては、端末装置１は、ウェイクアップ信号を無線ＬＡＮフレームのフレーム長によって表わして送信する。ウェイクアップ信号を表わすフレーム長を有する無線ＬＡＮフレームの生成方法を説明する前に、ウェイクアップ信号を無線ＬＡＮフレームのフレーム長によって表わした場合において、異なる２つのウェイクアップ信号の間のハミング距離についての考察について説明する。
【００５６】
なお、以下においては、ウェイクアップ信号を構成する無線ＬＡＮフレームの各フレームを、一定基準で決められたサンプリング周期を有する連続的な“１”によって表わし、無線ＬＡＮフレームのフレーム間のスペースを連続的な“０”によって表わす。
【００５７】
（考察１）
考察１においては、フレーム長のセットを（６，７，８，９，１０，１１，１２，１３）とし、６，７，８，９，１０，１１，１２，１３のフレーム長は、それぞれ、（０００），（００１），（０１１），（０１０），（１１０），（１１１），（１０１），（１００）によって表わされるものとする。また、フレーム間のスペースであるＩＦＳは、“４”であり、（００００）によって表わされるものとする。
【００５８】
そして、５個のウェイクアップ信号ＩＤ０，ＩＤ１，ＩＤ２，ＩＤ３，ＩＤ４を考察の対象とし、ウェイクアップ信号ＩＤ０＝（７，７，６，６）、ウェイクアップ信号ＩＤ１＝（８，７，６，６）、ウェイクアップ信号ＩＤ２＝（７，８，６，６）、ウェイクアップ信号ＩＤ３＝（７，７，７，６）およびウェイクアップ信号ＩＤ４＝（７，７，６，７）であるとする。即ち、５個のウェイクアップ信号ＩＤ０，ＩＤ１，ＩＤ２，ＩＤ３，ＩＤ４の各々は、４個のフレーム長によって表わされるものとする。
【００５９】
そして、ウェイクアップ信号ＩＤ０は、基準であり、ウェイクアップ信号ＩＤ１〜ＩＤ４は、ウェイクアップ信号ＩＤ０との間で１つのフレーム長のみが異なり、フレーム長の差は、“１”である。
【００６０】
また、ウェイクアップ信号ＩＤ０＝（７，７，６，６）は、（００１，００１，０００，０００）によって表わされ、ウェイクアップ信号ＩＤ１＝（８，７，６，６）は、（０１１，００１，０００，０００）によって表わされ、ウェイクアップ信号ＩＤ２＝（７，８，６，６）は、（００１，０１１，０００，０００）によって表わされ、ウェイクアップ信号ＩＤ３＝（７，７，７，６）は、（００１，００１，００１，０００）によって表わされ、ウェイクアップ信号ＩＤ４＝（７，７，６，７）は、（００１，００１，０００，００１）によって表わされる。
【００６１】
図５は、等価ウェイクアップ信号の比較を示す図である。各ウェイクアップ信号ＩＤ０〜ＩＤ４の４個のフレームを連続的な“１”で表わし、フレーム間のＩＦＳを連続的な“０”で表わしたものを等価ウェイクアップ信号とすると、ウェイクアップ信号ＩＤ０〜ＩＤ４の等価ウェイクアップ信号ＥＩＤ０〜ＥＩＤ４は、図５に示すようになる。
【００６２】
図５の（ａ）を参照して、等価ウェイクアップ信号ＥＩＤ１は、等価ウェイクアップ信号ＥＩＤ０との間で１番目のフレーム長が異なる。その結果、等価ウェイクアップ信号ＥＩＤ０と等価ウェイクアップ信号ＥＩＤ１との間では、１番目のフレームの右端、および２番目から４番目のフレームの両端でフレーム長が異なる（点線参照）。
【００６３】
図５の（ｂ）を参照して、等価ウェイクアップ信号ＥＩＤ２は、等価ウェイクアップ信号ＥＩＤ０との間で２番目のフレーム長が異なる。その結果、等価ウェイクアップ信号ＥＩＤ０と等価ウェイクアップ信号ＥＩＤ２との間では、２番目のフレームの右端、および３番目から４番目のフレームの両端でフレーム長が異なる（点線参照）。
【００６４】
図５の（ｃ）を参照して、等価ウェイクアップ信号ＥＩＤ３は、等価ウェイクアップ信号ＥＩＤ０との間で３番目のフレーム長が異なる。その結果、等価ウェイクアップ信号ＥＩＤ０と等価ウェイクアップ信号ＥＩＤ３との間では、３番目のフレームの右端、および４番目のフレームの両端でフレーム長が異なる（点線参照）。
【００６５】
図５の（ｄ）を参照して、等価ウェイクアップ信号ＥＩＤ４は、等価ウェイクアップ信号ＥＩＤ０との間で４番目のフレーム長が異なる。その結果、等価ウェイクアップ信号ＥＩＤ０と等価ウェイクアップ信号ＥＩＤ４との間では、４番目のフレームの右端でフレーム長が異なる（点線参照）。
【００６６】
図６は、２つの等価ウェイクアップ信号間のハミング距離を示す図である。図６を参照して、１番目のフレーム長が異なる場合、２つの等価ウェイクアップ信号間のハミング距離は、“７”であり、２番目のフレーム長が異なる場合、２つの等価ウェイクアップ信号間のハミング距離は、“５”であり、３番目のフレーム長が異なる場合、２つの等価ウェイクアップ信号間のハミング距離は、“３”であり、４番目のフレーム長が異なる場合、２つの等価ウェイクアップ信号間のハミング距離は、“１”である。
【００６７】
従って、フレーム長が異なる位置が後ろになるに従って、フレーム長の差がハミング距離に貢献する度合が減少することが解った（図６の点線参照）。
【００６８】
（考察２）
考察２においては、フレーム長のセットは、考察１のフレーム長のセットと同じである。
【００６９】
そして、６個のウェイクアップ信号ＩＤ０，ＩＤ２，ＩＤ５，ＩＤ６，ＩＤ７，ＩＤ８を考察の対象とし、ウェイクアップ信号ＩＤ０＝（７，７，６，６）、ウェイクアップ信号ＩＤ２＝（７，８，６，６）、ウェイクアップ信号ＩＤ５＝（７，９，６，６）、ウェイクアップ信号ＩＤ６＝（７，１０，６，６）、ウェイクアップ信号ＩＤ７＝（７，１１，６，６）およびウェイクアップ信号ＩＤ８＝（７，１２，６，６）であるとする。即ち、６個のウェイクアップ信号ＩＤ０，ＩＤ２，ＩＤ５，ＩＤ６，ＩＤ７，ＩＤ８の各々は、４個のフレーム長によって表わされるものとする。
【００７０】
そして、ウェイクアップ信号ＩＤ０は、基準であり、ウェイクアップ信号ＩＤ２，ＩＤ５，ＩＤ６，ＩＤ７，ＩＤ８は、ウェイクアップ信号ＩＤ０との間で２番目のフレーム長のみが異なり、フレーム長の差は、ウェイクアップ信号ＩＤ２からウェイクアップ信号ＩＤ８へ向かうに従って、“１”ずつ大きくなる。
【００７１】
また、ウェイクアップ信号ＩＤ０＝（７，７，６，６）は、（００１，００１，０００，０００）によって表わされ、ウェイクアップ信号ＩＤ２＝（７，８，６，６）は、（００１，０１１，０００，０００）によって表わされ、ウェイクアップ信号ＩＤ５＝（７，９，７，６）は、（００１，０１０，０００，０００）によって表わされ、ウェイクアップ信号ＩＤ６＝（７，１０，６，６）は、（００１，１１０，０００，０００）によって表わされ、ウェイクアップ信号ＩＤ７＝（７，１１，６，６）は、（００１，１１１，０００，０００）によって表わされ、ウェイクアップ信号ＩＤ８＝（７，１２，６，６）は、（００１，１０１，０００，０００）によって表わされる。
【００７２】
図７は、等価ウェイクアップ信号の別の比較を示す図である。ウェイクアップ信号ＩＤ０，ＩＤ２，ＩＤ５，ＩＤ６，ＩＤ７，ＩＤ８の等価ウェイクアップ信号ＥＩＤ０，ＥＩＤ２，ＥＩＤ５，ＥＩＤ６，ＥＩＤ７，ＥＩＤ８は、図７に示すようになる。
【００７３】
図７の（ａ）を参照して、等価ウェイクアップ信号ＥＩＤ２は、等価ウェイクアップ信号ＥＩＤ０との間で２番目のフレーム長が“１”だけ異なる。その結果、等価ウェイクアップ信号ＥＩＤ０と等価ウェイクアップ信号ＥＩＤ２との間では、２番目のフレームの右端、および３番目から４番目のフレームの両端でフレーム長が“１”だけ異なる（点線参照）。
【００７４】
図７の（ｂ）を参照して、等価ウェイクアップ信号ＥＩＤ５は、等価ウェイクアップ信号ＥＩＤ０との間で２番目のフレーム長が“２”だけ異なる。その結果、等価ウェイクアップ信号ＥＩＤ０と等価ウェイクアップ信号ＥＩＤ５との間では、２番目のフレームの右端、および３番目から４番目のフレームの両端でフレーム長が“２”だけ異なる（点線参照）。
【００７５】
図７の（ｃ）を参照して、等価ウェイクアップ信号ＥＩＤ６は、等価ウェイクアップ信号ＥＩＤ０との間で２番目のフレーム長が“３”だけ異なる。その結果、等価ウェイクアップ信号ＥＩＤ０と等価ウェイクアップ信号ＥＩＤ６との間では、２番目のフレームの右端、３番目から４番目のフレームの両端でフレーム長が“３”だけ異なる（点線参照）。
【００７６】
図７の（ｄ）を参照して、等価ウェイクアップ信号ＥＩＤ７は、等価ウェイクアップ信号ＥＩＤ０との間で２番目のフレーム長が“４”だけ異なる。その結果、等価ウェイクアップ信号ＥＩＤ０と等価ウェイクアップ信号ＥＩＤ７との間では、２番目のフレームの右端、３番目から４番目のフレームの両端でフレーム長が“４”だけ異なる（点線参照）。
【００７７】
図７の（ｅ）を参照して、等価ウェイクアップ信号ＥＩＤ８は、等価ウェイクアップ信号ＥＩＤ０との間で２番目のフレーム長が“５”だけ異なる。その結果、等価ウェイクアップ信号ＥＩＤ０と等価ウェイクアップ信号ＥＩＤ８との間では、２番目のフレームの右端、３番目から４番目のフレームの両端でフレーム長が“４”だけ異なる（点線参照）。
【００７８】
従って、図７に示す結果から、２つの等価ウェイクアップ信号のハミング距離は、ＩＦＳ以下になり、ＩＦＳによって制限されることが解った。
【００７９】
（考察３）
考察３においても、フレーム長のセットは、考察１のフレーム長のセットと同じである。
【００８０】
そして、４個のウェイクアップ信号ＩＤ０，ＩＤ９，ＩＤ１０，ＩＤ１１を考察の対象とし、ウェイクアップ信号ＩＤ０＝（７，７，７，７）、ウェイクアップ信号ＩＤ９＝（８，６，７，７）、ウェイクアップ信号ＩＤ１０＝（７，８，６，７）およびウェイクアップ信号ＩＤ１１＝（７，７，８，６）であるとする。即ち、４個のウェイクアップ信号ＩＤ０，ＩＤ９，ＩＤ１０，ＩＤ１１の各々は、４個のフレーム長によって表わされるものとする。
【００８１】
そして、ウェイクアップ信号ＩＤ０は、基準であり、ウェイクアップ信号ＩＤ９，ＩＤ１０，ＩＤ１１は、ウェイクアップ信号ＩＤ０との間でフレーム長が“２”だけ異なり、フレーム長の異なる位置がウェイクアップ信号ＩＤ９からウェイクアップ信号ＩＤ１１へ向かうに従って後ろになっている。
【００８２】
また、ウェイクアップ信号ＩＤ０＝（７，７，７，７）は、（００１，００１，００１，００１）によって表わされ、ウェイクアップ信号ＩＤ９＝（８，６，７，７）は、（０１１，０００，００１，００１）によって表わされ、ウェイクアップ信号ＩＤ１０＝（７，８，６，７）は、（００１，０１１，０００，００１）によって表わされ、ウェイクアップ信号ＩＤ１１＝（７，７，８，６）は、（００１，００１，０１１，０００）によって表わされる。
【００８３】
図８は、等価ウェイクアップ信号の更に別の比較を示す図である。ウェイクアップ信号ＩＤ０，ＩＤ９，ＩＤ１０，ＩＤ１１の等価ウェイクアップ信号ＥＩＤ０，ＥＩＤ９，ＥＩＤ１０，ＥＩＤ１１は、図８に示すようになる。
【００８４】
図８の（ａ）を参照して、等価ウェイクアップ信号ＥＩＤ９は、１番目のフレーム長が等価ウェイクアップ信号ＥＩＤ０の１番目のフレーム長よりも“１”だけ長く、２番目のフレーム長が等価ウェイクアップ信号ＥＩＤ０の２番目のフレーム長よりも“１”だけ短い。その結果、等価ウェイクアップ信号ＥＩＤ０と等価ウェイクアップ信号ＥＩＤ９との間では、１番目のフレームの右端、および２番目のフレームの左端でフレーム長が“１”だけ異なる（点線参照）。
【００８５】
図８の（ｂ）を参照して、等価ウェイクアップ信号ＥＩＤ１０は、２番目のフレーム長が等価ウェイクアップ信号ＥＩＤ０の２番目のフレーム長よりも“１”だけ長く、３番目のフレーム長が等価ウェイクアップ信号ＥＩＤ０の３番目のフレーム長よりも“１”だけ短い。その結果、等価ウェイクアップ信号ＥＩＤ０と等価ウェイクアップ信号ＥＩＤ１０との間では、２番目のフレームの右端、および３番目のフレームの左端でフレーム長が“１”だけ異なる（点線参照）。
【００８６】
図８の（ｃ）を参照して、等価ウェイクアップ信号ＥＩＤ１１は、３番目のフレーム長が等価ウェイクアップ信号ＥＩＤ０の３番目のフレーム長よりも“１”だけ長く、４番目のフレーム長が等価ウェイクアップ信号ＥＩＤ０の４番目のフレーム長よりも“１”だけ短い。その結果、等価ウェイクアップ信号ＥＩＤ０と等価ウェイクアップ信号ＥＩＤ１１との間では、３番目のフレームの右端、および４番目のフレームの左端でフレーム長が“１”だけ異なる（点線参照）。
【００８７】
このように、基準となるウェイクアップ信号ＩＤ０の４個のフレーム長に対してウェイクアップ信号ＩＤ９，ＩＤ１０，ＩＤ１１の２個のフレーム長を一方が長くなり、他方が短くなるように変化させた場合、フレーム長を長くしたフレームの次のフレーム以降で再同期されるため、フレーム長を変化させたフレーム以降のフレーム長が同じであれば、２つの等価ウェイクアップ信号間のハミング距離に貢献しないことが解った。
【００８８】
上述した考察１〜考察３に基づく対策について説明する。図９は、この発明の実施の形態による無線ＬＡＮフレームの概念図である。図９を参照して、無線ＬＡＮフレームＷＦＲは、Ｎ１（Ｎ１は、２以上の整数）個のデータフレームＤＦＲ＿１〜ＤＦＲ＿Ｎ１と、Ｎ２（Ｎ２は、１以上の整数）個のダミーフレームＤＭＦＲ＿１〜ＤＭＦＲ＿Ｎ２とからなる。Ｎ２個のダミーフレームＤＭＦＲ＿１〜ＤＭＦＲ＿Ｎ２は、Ｎ１個のデータフレームＤＦＲ＿１〜ＤＦＲ＿Ｎ１に続いて配置される。
【００８９】
以下の対策においては、ウェイクアップ信号を表わすフレーム長を有する無線ＬＡＮフレームは、図９に示す無線ＬＡＮフレームＷＦＲからなることを前提とする。
【００９０】
（対策１）
上述した考察１においては、２つの等価ウェイクアップ信号間において、フレーム長が異なる位置が後ろになるに従って２つの等価ウェイクアップ信号間のハミング距離が小さくなることが解った。
【００９１】
そこで、対策１では、ウェイクアップ信号を表わすフレーム長をＮ１個のデータフレームＤＦＲ＿１〜ＤＦＲ＿Ｎ１に載せ、Ｎ１個のデータフレームＤＦＲ＿１〜ＤＦＲ＿Ｎ１の後ろにＮ２個のダミーフレームＤＭＦＲ＿１〜ＤＭＦＲ＿Ｎ２を追加する。そして、２つの等価ウェイクアップ信号間において、Ｎ１個のデータフレームＤＦＲ＿１〜ＤＦＲ＿Ｎ１のうちの少なくとも１つのデータフレームのフレーム長をｄだけ変える。
【００９２】
無線ＬＡＮフレームＷＦＲの総フレーム数をＮ（＝Ｎ１＋Ｎ２）とし、ｎ番目のデータフレームＤＦＲ＿ｎのフレーム長がｄだけ異なるとすると、２つの等価ウェイクアップ信号間のハミング距離は、（２×（Ｎ−ｎ）＋１）×ｄによって表わされ、Ｎ−ｎに依存する。そして、ｎ＝Ｎである場合、２つの等価ウェイクアップ信号間のハミング距離は、最小値ｄになる。
【００９３】
しかし、対策１においては、２つの等価ウェイクアップ信号間において、Ｎ１個のデータフレームＤＦＲ＿１〜ＤＦＲ＿Ｎ１のうちの少なくとも１つのデータフレームのフレーム長をｄだけ変えるので、フレーム長が異なる位置の後ろにＮ２個のダミーフレームＤＭＦＲ＿１〜ＤＭＦＲ＿Ｎ２が存在する。
【００９４】
その結果、２つの等価ウェイクアップ信号間のハミング距離は、（２×Ｎ２＋１）×ｄ以上になる。そして、Ｎ２は、１以上の整数であるので、２つの等価ウェイクアップ信号間のハミング距離は、３ｄ以上になる。従って、Ｎ２個のダミーフレームＤＭＦＲ＿１〜ＤＭＦＲ＿Ｎ２を設けない場合に比べて、２つの等価ウェイクアップ信号間のハミング距離を３倍以上にできる。
【００９５】
（対策２）
２つの等価ウェイクアップ信号間のハミング距離は、フレーム長が異なる位置が後ろになるに従って減少するので、フレーム長の差分ｄを後ろのデータフレームＤＦＲになるに従って大きくする。
【００９６】
即ち、Ｎ１個のデータフレームＤＦＲ＿１〜ＤＦＲ＿Ｎ１に対して、それぞれ、差分ｄ１≦ｄ２≦・・・≦ｄＮ１を与える。そして、ｄ１〜ｄＮ１の各々は、ＩＦＳ以下である。考察２において、２つの等価ウェイクアップ信号のハミング距離は、ＩＦＳによって制限されることが解ったからである。
【００９７】
（対策３）
Ｎ１個のデータフレームＤＦＲ＿１〜ＤＦＲ＿Ｎ１に載せるビット数をそれぞれｍ１〜ｍＮ１とすると、ｍ１≧ｍ２≧・・・≧ｍＮ１を満たすようにビット数ｍ１〜ｍＮ１を決定する。
【００９８】
変調の効率を考慮すれば、ｄの小さなところに多いビット数を変調すべきである。従って、ｄ１≦ｄ２≦・・・≦ｄＮ１からｍ１≧ｍ２≧・・・≧ｍＮ１とする。
【００９９】
上述した対策１〜対策３は、２つの等価ウェイクアップ信号間のハミング距離を大きくする対策である。
【０１００】
図１０は、２つの等価ウェイクアップ信号間におけるハミング距離の計算方法を示す概念図である。
【０１０１】
無線ＬＡＮフレームＷＦＲの受信信号をサンプリングするときのサンプリング周期をδとし、ＩＦＳの長さをΔとすると、サンプル数σは、σ＝Δ／δとなる。
【０１０２】
また、最も短いフレーム長をＬ０とすると、最も短いフレーム長を有するデータフレームＤＦＲのサンプル数ｌ０は、ｌ０＝Ｌ０／δとなる。
【０１０３】
更に、Ｎ１個のデータフレームＤＦＲ＿１〜ＤＦＲ＿Ｎ１のうちのｉ（ｉは、１≦ｉ≦Ｎ１を満たす整数）番目のデータフレームＤＦＲ＿ｉの変調に使用するフレーム長セットＣｉに含まれるフレーム長の個数をＭｉとすると、ｍｉ＝ｌｏｇ２Ｍｉビットを送信できる。
【０１０４】
また、フレーム長セットＣｉは、次式によって表わされる。
【０１０５】
【数１】
2014192534.tif 000003
【０１０６】
ウェイクアップ信号のビット数をＩ（Ｉは、３以上の整数）ビットとし、このＩビットをＮ１個のデータフレームＤＦＲ＿１〜ＤＦＲ＿Ｎ１に載せる。
【０１０７】
図１０を参照して、２つの等価ウェイクアップ信号間において、ｎ個のデータフレームＤＦＲ＿１〜ＤＦＲ＿ｎと、その間のＩＦＳの総ビット数をそれぞれＱ１ｎ，Ｑ２ｎとすると、総ビット数Ｑ１ｎ，Ｑ２ｎは、次式によって表わされる。
【０１０８】
【数２】
2014192534.tif 000004
【０１０９】
総ビット数Ｑ１ｎと総ビット数Ｑ２ｎとの間の差から、ｎ番目のデータフレームＤＦＲ＿ｎの右端で、αｎというハミング距離が生成される。
【０１１０】
そして、ハミング距離αｎは、次式によって表わされる。
【０１１１】
【数３】
2014192534.tif 000005
【０１１２】
２つの等価ウェイクアップ信号間のハミング距離Ｄは、Ｎ１個のデータフレームＤＦＲ＿１〜ＤＦＲ＿Ｎ１の端と、Ｎ２個のダミーフレームＤＭＦＲ＿１〜ＤＭＦＲ＿Ｎ２の端とによって決定され、次式によって表わされる。
【０１１３】
【数４】
2014192534.tif 000006
【０１１４】
そして、ハミング距離Ｄの最小値Ｄｍｉｎは、次式によって表わされる。
【０１１５】
【数５】
2014192534.tif 000007
【０１１６】
また、各等価ウェイクアップ信号は、Ｎ１個のデータフレームＤＦＲ＿１〜ＤＦＲ＿Ｎ１と、Ｎ２個のダミーフレームＤＭＦＲ＿１〜ＤＭＦＲ＿Ｎ２とからなり、等価ウェイクアップ信号の平均長さｔは、次式によって表わされる。
【０１１７】
【数６】
2014192534.tif 000008
【０１１８】
平均長さｔが目標値ｔｔａｒｇｅｔを超えないように、最小値Ｄｍｉｎを最大化するパラメータＭｉ，ｄｉ，Ｎ２を次式によって算出する。
【０１１９】
【数７】
2014192534.tif 000009
【０１２０】
なお、目標値ｔｔａｒｇｅｔは、例えば、４ｍｓｅｃである。また、ｔ＜ｔｔａｒｇｅｔを満たすように最小値Ｄｍｉｎを最大化するパラメータＭｉ，ｄｉ，Ｎ２を算出するのは、無線ＬＡＮフレームＷＦＲの送信遅延が発生しないようにするためである。
【０１２１】
図１１は、データフレームＤＦＲおよびダミーフレームＤＭＦＲの概念図である。図１１を参照して、データフレームＤＦＲは、固定長領域ＣＲＧと、可変長領域ＶＲＧとを含む。固定長領域ＣＲＧは、一定の長さＬ０を有する。可変長領域ＶＲＧは、長さＶＬを有する。長さＶＬは、ＶＬ＝ｌｉ×ｄｉ×δ（ｉ＝１〜Ｎ１）によって決定される。ｌｉは、１つのデータフレームに載せるビット値であり、ｄｉは、フレーム長の差分である。なお、長さＬ０および長さＶＬは、時間領域における長さを表わす。
【０１２２】
ダミーフレームＤＭＦＲは、固定長領域ＣＲＧのみからなり、一定の長さＬ０を有する（図１１の（ｂ）参照）。
【０１２３】
図１２は、ウェイクアップ信号を表わすフレーム長を有する無線ＬＡＮフレームの例を示す概念図である。
【０１２４】
図１２を参照して、データフレームＤＦＲの個数Ｎ１は、３個であり、ダミーフレームＤＭＦＲの個数Ｎ２は、１個である。また、サンプリング周期δを１０μｓとする。
【０１２５】
その結果、１番目のデータフレームＤＦＲ＿１に載せるフレーム長セットＣ１は、“００００”〜“１１１１”のビット値に対してそれぞれ割り当てられた３００μｓ〜４５０μｓの１６個のフレーム長を含む。フレーム長セットＣ１においては、フレーム長は、ビット値が“１”増える毎に１０μｓだけ長くなる。従って、差分ｄ１は、“１”である。また、フレーム長セットＣ１は、１６個のフレーム長を含むので、データフレームＤＦＲ＿１に載せるビット数ｍ１は、ｍ１＝ｌｏｇ２１６＝４ビットである（図１２の（ａ）参照）。
【０１２６】
２番目のデータフレームＤＦＲ＿２に載せるフレーム長セットＣ２は、“０００”〜“１１１”のビット値に対してそれぞれ割り当てられた３００μｓ〜４４０μｓの８個のフレーム長を含む。フレーム長セットＣ２においては、フレーム長は、ビット値が“１”増える毎に２０μｓだけ長くなる。従って、差分ｄ２は、“２”である。また、フレーム長セットＣ２は、８個のフレーム長を含むので、データフレームＤＦＲ＿２に載せるビット数ｍ２は、ｍ２＝ｌｏｇ２８＝３ビットである（図１２の（ｂ）参照）。
【０１２７】
３番目のデータフレームＤＦＲ＿３に載せるフレーム長セットＣ３は、“０”，“１”のビット値に対してそれぞれ割り当てられた３００μｓ，３３０μｓの２個のフレーム長を含む。フレーム長セットＣ３においては、フレーム長は、ビット値が“１”増える毎に３０μｓだけ長くなる。従って、差分ｄ３は、“３”である。また、フレーム長セットＣ３は、２個のフレーム長を含むので、データフレームＤＦＲ＿３に載せるビット数ｍ３は、ｍ３＝ｌｏｇ２２＝１ビットである（図１２の（ｃ）参照）。
【０１２８】
ダミーフレームＤＭＦＲには、ビット値が載せられず、フレーム長は、３００μｓの１種類からなる（図１２の（ｄ）参照）。
【０１２９】
ウェイクアップ信号が１００１００１１からなる場合、端末装置１のＣＰＵ１３は、ウェイクアップ信号＝“１００１００１１”を“１００１”，“００１”，“１”に分割し、“１００１”のビット値を１番目のデータフレームＤＦＲ＿１に載せ、“００１”のビット値を２番目のデータフレームＤＦＲ＿２に載せ、“１”のビット値を３番目のデータフレームＤＦＲ＿３に載せる。
【０１３０】
その結果、データフレームＤＦＲ＿１は、３９０μｓのフレーム長を有し、データフレームＤＦＲ＿２は、３２０μｍのフレーム長を有し、データフレームＤＦＲ＿３は、３３０μｍのフレーム長を有し、ダミーフレームＤＭＦＲ＿１は、３００μｓのフレーム長を有する。
【０１３１】
そして、端末装置１の無線ＬＡＮカード１２は、まず、データフレームＤＦＲ＿１を送信し、その後、ＩＦＳ（例えば、ＤＩＦＳ）の期間、待機した後、データフレームＤＦＲ＿２を送信する。引き続いて、無線ＬＡＮカード１２は、ＩＦＳの期間、待機した後、データフレームＤＦＲ＿３を送信し、その後、ＩＦＳの期間、待機した後、ダミーフレームＤＭＦＲ＿１を送信する。
【０１３２】
このように、無線ＬＡＮカード１２は、データフレームＤＦＲ＿１〜ＤＦＲ＿３およびダミーフレームＤＭＦＲ＿１を一定間隔ＩＦＳで連続的に送信する。これにより、他の無線装置からの無線ＬＡＮフレームが割り込むのを抑制できる。
【０１３３】
図１３は、図３に示すウェイクアップ信号受信機２２における信号の概念図である。図１３を参照して、ウェイクアップ信号受信機２２の包絡線検波回路２２２は、ＢＰＦ２２１から受けた受信信号を包絡線検波し、包絡線ＥＶＬを検出する。そして、Ａ／Ｄ変換器２２３は、包絡線ＥＶＬをサンプリング周期δでサンプリングし、包絡線ＥＶＬをビット列ｒに変換する。
【０１３４】
このビット列ｒは、連続した４個の“０”と、連続した１２〜１４個の“１”とを含むので、等価ウェイクアップ信号を表わす。
【０１３５】
ウェイクアップ信号受信機２２のマッチング回路２２４は、Ａ／Ｄ変換器２２３からビット列ｒ（＝等価ウェイクアップ信号）を受ける。また、マッチング回路２２４は、アクセスポイント２のＩＤに基づいて、ハッシュ関数を用いて誤り訂正情報を含めたウェイクアップ信号を算出する。
【０１３６】
そして、マッチング回路２２４は、その算出したウェイクアップ信号を等価ウェイクアップ信号Ｅｋに変調する。例えば、ウェイクアップ信号が“１００１００１１”である場合、マッチング回路２２４は、ウェイクアップ信号＝“１００１００１１”を“１００１”，“００１”，“１”に分割し、図１２に示した方法によって、データフレームＤＦＲ＿１〜ＤＦＲ＿３およびダミーフレームＤＭＦＲ＿１を生成する。その後、マッチング回路２２４は、データフレームＤＦＲ＿１〜ＤＦＲ＿３およびダミーフレームＤＭＦＲ＿１を一定間隔ＩＦＳで送信するときのデータフレームＤＦＲ＿１→ＩＦＳ→データフレームＤＦＲ＿２→ＩＦＳ→データフレームＤＦＲ＿３→ＩＦＳ→ダミーフレームＤＭＦＲ＿１に対して、データフレームＤＦＲ＿１〜ＤＦＲ＿３およびダミーフレームＤＭＦＲ＿１を連続した“１”で表わし、ＩＦＳを連続した“０”で表わして、等価ウェイクアップ信号Ｅｋを生成する。
そうすると、マッチング回路２２４は、ビット列ｒと等価ウェイクアップ信号Ｅｋとのマッチング処理を行う。
即ち、マッチング回路２２４は、ビット列ｒおよび等価ウェイクアップ信号Ｅｋを次式に代入してビット列ｒと等価ウェイクアップ信号Ｅｋとの間のエラービット数ｅｒｒを算出する。
【０１３７】
【数８】
2014192534.tif 000010
【０１３８】
なお、式（８）において、右辺第２項は、ビット列ｒと等価ウェイクアップ信号Ｅｋとの間における同じビット値の個数を表わす。
【０１３９】
マッチング回路２２４は、エラービット数ｅｒｒを算出すると、エラービット数ｅｒｒを閾値と比較し、エラービット数ｅｒｒが閾値以下であるとき、起動信号を生成し、その生成した起動信号を電源２７へ出力する。
【０１４０】
図１４は、端末装置１における無線ＬＡＮフレームＷＦＲの生成方法を示すフローチャートである。
【０１４１】
図１４を参照して、無線ＬＡＮフレームＷＦＲの生成が開始されると、端末装置１のＣＰＵ１３は、上述した式（２）〜（７）を用いて２つの等価ウェイクアップ信号間のハミング距離の最小値Ｄｍｉｎが最大になるＭｉ，ｄｉ，Ｎ１，Ｎ２を算出する。Ｍｉまたはｄｉの個数は、Ｎ１である（ステップＳ１）。
【０１４２】
そして、ＣＰＵ１３は、ｍｉ＝ｌｏｇ２Ｍｉを用いて各データフレームＤＦＲ_１〜ＤＦＲ＿Ｎ１に載せるビット数ｍ１，ｍ２，・・・，ｍＮ１を算出する（ステップＳ２）。
【０１４３】
引き続いて、ＣＰＵ１３は、式（１）を用いて１番目からＮ１番目のデータフレームＤＦＲに載せるフレーム長のフレーム長セットＣ１〜ＣＮ１を算出する（ステップＳ３）。
【０１４４】
そして、ＣＰＵ１３は、フレーム長セットＣ１〜ＣＮ１に含まれる最短のフレーム長をダミーフレームＤＭＦＲのフレーム長として決定する（ステップＳ４）。
【０１４５】
その後、ＣＰＵ１３は、ｍ１≧ｍ２≧・・・≧ｍＮ１を満たすようにウェイクアップ信号のビット列をＮ１個のグループに分割する（ステップＳ５）。
【０１４６】
引き続いて、ＣＰＵ１３は、各グループのビット値およびフレーム長セットＣ１〜ＣＮ１に基づいてＮ１個のデータフレームＤＦＲ＿１〜ＤＦＲ＿Ｎ１を生成する（ステップＳ６）。
【０１４７】
その後、ＣＰＵ１３は、Ｎ２個のダミーフレームＤＭＦＲ＿１〜ＤＭＦＲ＿Ｎ２を生成する（ステップＳ７）。
【０１４８】
そうすると、ＣＰＵ１３は、Ｎ１個のデータフレームＤＦＲ＿１〜ＤＦＲ＿Ｎ１/Ｎ２個のダミーフレームＤＭＦＲ＿１〜ＤＭＦＲ＿Ｎ２からなる無線ＬＡＮフレームＷＦＲを生成する（ステップＳ８）。
【０１４９】
これによって、無線ＬＡＮフレームＷＦＲの生成が終了する。
【０１５０】
図１５は、図１に示す無線通信システム１０の動作を示すフローチャートである。なお、図１５においては、アクセスポイント２がスリープ状態にあることを前提として無線通信システム１０の動作を説明する。
【０１５１】
図１５を参照して、無線通信システム１０の動作が開始されると、端末装置１のＣＰＵ１３は、アクセスポイント２のＩＤに基づいて、ハッシュ関数を用いて誤り訂正情報を反映したウェイクアップ信号を算出する（ステップＳ１１）。
【０１５２】
そして、ＣＰＵ１３は、図１４に示すフローチャートに従って、ウェイクアップ信号を表わすフレーム長を有する無線ＬＡＮフレームを生成する（ステップＳ１２）。
【０１５３】
その後、ＣＰＵ１３は、無線ＬＡＮフレームを用いてブロードキャストフレームを生成する（ステップＳ１３）。即ち、ＣＰＵ１３は、ステップＳ１２において生成した無線ＬＡＮフレームの宛先をブロードキャストアドレスに設定する。
【０１５４】
そして、ＣＰＵ１３は、無線ＬＡＮカード１２のモードをバーストモードに設定する（ステップＳ１４）。
【０１５５】
その後、ＣＰＵ１３は、生成した無線ＬＡＮフレームを一斉に無線ＬＡＮカード１２に渡す（ステップＳ１５）。
【０１５６】
そうすると、無線ＬＡＮカード１２は、無線ＬＡＮフレームを構成するデータフレームおよびダミーフレームを一定間隔（ＩＦＳ）で連続的に送信する（ステップＳ１６）。
【０１５７】
アクセスポイント２のウェイクアップ信号受信機２２は、アンテナ２１を介して電波を受信する（ステップＳ１７）。
【０１５８】
そして、ＢＰＦ２２１は、受信電波のうち、無線ＬＡＮフレームの周波数を有する受信信号を包絡線検波回路２２２へ出力する（ステップＳ１８）。
【０１５９】
その後、包絡線検波回路２２２は、受信信号を包絡線検波し（ステップＳ１９）、包絡線ＥＶＬをＡ／Ｄ変換器２２３へ出力する。
【０１６０】
Ａ／Ｄ変換器２２３は、包絡線ＥＶＬをサンプリング周期δでサンプリングして包絡線ＥＶＬをアナログ信号からディジタル信号に変換し（ステップＳ２０）、ビット列ｒをマッチング回路２２４へ出力する。
【０１６１】
一方、マッチング回路２２４は、ステップＳ１７〜ステップＳ２０と並行して、アクセスポイント２のＩＤに基づいて、ハッシュ関数を用いて誤り訂正情報を反映したウェイクアップ信号を算出する（ステップＳ２１）。そして、マッチング回路２２４は、上述した方法によって、ウェイクアップ信号を等価ウェイクアップ信号Ｅｋに変調する（ステップＳ２２）。
【０１６２】
ステップＳ２０，Ｓ２２の後、マッチング回路２２４は、ビット列ｒと等価ウェイクアップ信号Ｅｋとの間のエラービット数ｅｒｒを式（８）を用いて算出する（ステップＳ２３）。
【０１６３】
そして、マッチング回路２２４は、エラービット数ｅｒｒが閾値以下であるか否かを判定する（ステップＳ２４）。
【０１６４】
ステップＳ２４において、エラービット数ｅｒｒが閾値以下であると判定されたとき、起動信号を生成し（ステップＳ２５）、その生成した起動信号を電源２７へ出力する。これによって、電源２７は、無線ＬＡＮカード２４、ＣＰＵ２５およびネットワーク接続カード２６へ電力を供給し、アクセスポイント２は、スリープ状態から起動状態へ移行する。
【０１６５】
そして、ステップＳ２４において、エラービット数ｅｒｒが閾値よりも大きいと判定されたき、またはステップＳ２５の後、一連の動作は、終了する。
【０１６６】
上述したように、端末装置１は、２つの等価ウェイクアップ信号間のハミング距離の最小値Ｄｍｉｎが最大になるように、Ｍｉ，ｄｉ，Ｎ２を算出し（図１４のステップＳ１参照）、その算出したＭｉを用いて各データフレームＤＦＲに載せるビット数ｍ１〜ｍＮ１を決定するとともに（図１４のステップＳ２参照）、Ｍｉ，ｄｉを用いて各データフレームＤＦＲに載せるフレーム長のフレーム長セットＣ１〜ＣＮ１を決定する（図１４のステップＳ３参照）。そして、端末装置１は、ウェイクアップ信号のビット列を分割した各グループのビット値およびフレーム長セットＣ１〜ＣＮ１に基づいてＮ１個のデータフレームＤＦＲ＿１〜ＤＦＲ＿Ｎ１を生成し（図１４のステップＳ６参照）、Ｎ１個のデータフレームＤＦＲ＿１〜ＤＦＲ＿Ｎ１の後ろにＮ２個のダミーフレームＤＭＦＲ＿１〜ＤＭＦＲ＿Ｎ２を付けてＮ１個のデータフレームＤＦＲ＿１〜ＤＦＲ＿Ｎ１およびＮ２個のダミーフレームＤＭＦＲ＿１〜ＤＭＦＲ＿Ｎ２を連続的に送信する（図１４のステップＳ８および図１５のステップＳ１６参照）。
【０１６７】
その結果、２つの等価ウェイクアップ信号間のハミング距離の最小値が最大になるので、アクセスポイント２によって受信された無線ＬＡＮフレームＷＦＲの受信電波の波形は、他のウェイクアップ信号を示す他の無線ＬＡＮフレームの受信電波の波形と異なる。
【０１６８】
従って、アクセスポイント２において、ウェイクアップ信号を誤って検知する率を低減できる。
【０１６９】
上記においては、式（５）によって表わされる２つの等価ウェイクアップ信号間のハミング距離の最小値Ｄｍｉｎが最大になるように、２つの等価ウェイクアップ信号間においてＮ１個のデータフレームＤＦＲ＿１〜ＤＦＲ＿Ｎ１のフレーム長を異なるフレーム長に設定し（図１０参照）、差分ｄｉをデータフレームＤＦＲ＿１からデータフレームＤＦＲ＿Ｎ１に向かうに従って大きくし（ｄ１≦ｄ２≦・・・≦ｄＮ１）、各データフレームに載せるビット数ｍｉをデータフレームＤＦＲ＿１からデータフレームＤＦＲ＿Ｎ１に向かうに従って少なくして（ｍ１≧ｍ２≧・・・≧ｍＮ１）、Ｎ１個のデータフレームＤＦＲ＿１〜ＤＦＲ＿Ｎ１を生成し、Ｎ１個のデータフレームＤＦＲ＿１〜ＤＦＲ＿Ｎ１の後ろにＮ２個のダミーフレームＤＭＦＲ＿１〜ＤＭＦＲ＿Ｎ２を追加して無線ＬＡＮフレームＷＦＲを生成すると説明したが、この発明の実施の形態においては、これに限らず、Ｎ１個のデータフレームＤＦＲ＿１〜ＤＦＲ＿Ｎ１の少なくとも１つのデータフレームは、ウェイクアップ信号を示す異なる２つの無線ＬＡＮフレーム間において、フレーム長が異なっていればよい。即ち、ｄ１≦ｄ２≦・・・≦ｄＮ１およびｍ１≧ｍ２≧・・・≧ｍＮ１の条件を適用しなくても、ウェイクアップ信号を示す異なる２つの無線ＬＡＮフレーム間において、Ｎ１個のデータフレームＤＦＲ＿１〜ＤＦＲ＿Ｎ１の少なくとも１つのデータフレームが異なるフレーム長を有し、Ｎ１個のデータフレームＤＦＲ＿１〜ＤＦＲ＿Ｎ１の後ろにＮ２個のダミーフレームＤＭＦＲ＿１〜ＤＭＦＲ＿Ｎ２を追加して無線ＬＡＮフレームＷＦＲを生成すればよい。
【０１７０】
２つの等価ウェイクアップ信号間においてＮ１個のデータフレームＤＦＲ＿１〜ＤＦＲ＿Ｎ１の少なくとも１つのデータフレームが異なるフレーム長を有していれば、２つの等価ウェイクアップ信号間のハミング距離が（２Ｎ２−１）αＮ１よりも大きくなり、受信側であるアクセスポイント２における無線ＬＡＮフレームＷＦＲの受信電波の波形を他の無線ＬＡＮフレームの受信電波の波形から識別でき、ウェイクアップ信号を誤って検知する率を低減できるからである。
【０１７１】
また、この発明の実施の形態においては、ウェイクアップ信号を送信する装置は、アクセスポイント２に帰属する端末装置１に限らず、アドホック無線ネットワークにおいて、２つの無線装置間で無線通信を行う場合の送信元の無線装置であってもよい。そして、ウェイクアップ信号を受信する装置も、アクセスポイント２に限らず、アドホック無線ネットワークにおいて、２つの無線装置間で無線通信を行う場合の送信先の無線装置であってもよい。
【０１７２】
従って、この発明の実施の形態において、ウェイクアップ信号を送信する無線装置は、通信先を起動させるためのウェイクアップ信号を表わすフレーム長を有するＮ１個のデータフレームと、Ｎ１個のデータフレームの後ろに追加されるＮ２個のダミーフレームとからなる無線フレームを生成する生成手段と、Ｎ１個のデータフレームとＮ２個のダミーフレームとの（Ｎ１＋Ｎ２）個のフレームを一定間隔で連続的に送信する送信手段とを備え、Ｎ１個のデータフレームの少なくとも１つのデータフレームは、ウェイクアップ信号を示す異なる２つの無線フレーム間において、フレーム長が異なっていればよい。
【０１７３】
また、この発明の実施の形態において、ウェイクアップ信号を受信する無線装置は、起動状態において他の無線装置と無線通信を行う通信手段と、ウェイクアップ信号を送信する無線装置から無線フレームを受信する受信手段と、無線フレームの受信電波を包絡線検波して包絡線を検出する検出手段と、包絡線をアナログ信号からディジタル信号に変換してビット列を生成する変換手段と、Ｎ１個のデータフレームと、Ｎ２個のダミーフレームと、（Ｎ１＋Ｎ２）個のフレームの隣接するフレーム間に存在する（Ｎ１＋Ｎ２−１）個の一定間隔とをビット値で表わした等価ウェイクアップ信号がビット列にマッチングするとき、通信手段を起動するための起動信号を生成する起動手段とを備えていればよい。
【０１７４】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【０１７５】
この発明は、無線装置およびそれを備える無線通信システムに適用される。
【符号の説明】
【０１７６】
１  端末装置、２  アクセスポイント、３  ネットワーク、４  有線ケーブル、１０  無線通信システム、１１，２１  アンテナ、１２，２４  無線ＬＡＮカード、１３，２５  ＣＰＵ  １４，２３，２７  電源、２２  ウェイクアップ信号受信機、２６  ネットワーク接続カード、２２１  ＢＰＦ、２２２  包絡線検波回路、２２３  Ａ／Ｄ変換器、２２４  マッチング回路。
【図１】
2014192534.tif 000011
【図２】
2014192534.tif 000012
【図３】
2014192534.tif 000013
【図４】
2014192534.tif 000014
【図５】
2014192534.tif 000015
【図６】
2014192534.tif 000016
【図７】
2014192534.tif 000017
【図８】
2014192534.tif 000018
【図９】
2014192534.tif 000019
【図１０】
2014192534.tif 000020
【図１１】
2014192534.tif 000021
【図１２】
2014192534.tif 000022
【図１３】
2014192534.tif 000023
【図１４】
2014192534.tif 000024
【図１５】
2014192534.tif 000025